(57)【要約】【課題】  無塵服および人体に帯電した静電気を確実に除去することができ、しかも、作業性を損なうことなく、使用感も良好となる防塵服１を提供する。【解決手段】  導電性を備えた生地で長袖上衣と長ズボンとを一体形成した防塵服本体２の複数箇所に、接地されたアースコード１０の一端部を接続させる接続端子部３を形成する。【選択図】      図１
2008133561.tif 000002
【特許請求の範囲】
【請求項１】
導電性を備えた生地で長袖上衣と長ズボンとを一体形成した防塵服本体の複数箇所に、他端部が接地されたアースコードの一端部を接続させる接続端子部が形成されていることを特徴とする防塵服。
【請求項２】
前記複数箇所の接続端子部間は低抵抗配線により接続されている請求項１に記載の防塵服。
【請求項３】
前記防塵服本体に、低抵抗の金属が内蔵され、人体に直接接触させるように装着されるアースバンドが電気的に接続されて一体に形成されている請求項１または請求項２に記載の防塵服。
【発明の詳細な説明】
【技術分野】
【０００１】
本発明は、液晶表示素子などの精密機器を取り扱う作業を阻害することなく、防塵服やそれを着用する人体から確実に静電気を除去することのできる除電構造を備えた防塵服に関する。
【背景技術】
【０００２】
従来より、液晶表示素子などの精密機器を取り扱う際には、クリーンルームと呼称される防塵対策が取られた空間内で防塵服や防塵靴を着用して所定の作業が行われている（防塵服について、例えば、特許文献１参照）。
【０００３】
前記防塵服や防塵靴は、非発塵性、非通塵性、表面の円滑性といったいわゆる防塵性や洗濯、滅菌処理などに対する耐久性の他、防塵服に電荷を貯めないようにする帯電防止性も必要とされる性能の１つである。防塵服等の静電気は、浮遊異物を吸着したり、精密機器の破損や事故の原因となる等、様々な悪影響を及ぼすためである。
【０００４】
そして、帯電防止処理がなされた防塵服と防塵靴とを着用し、人体や防塵服等に帯電した静電気を防塵靴を通して導電処理されたフロアを経由させ、接地させるような除電構造とされている。
【０００５】
しかし、前記防塵靴からフロアを介して接地させる場合、防塵靴の汚れなどにより、電気的な接続が悪くなることがある。そこで、防塵靴とフロアとの電気的な接続が不良となった場合の補助と、さらには、人体に帯電した静電気を除去することを目的として、リストストラップを用いて接地することがなされている（リストストラップを用いた静電気除去装置について、例えば、特許文献２）。
【０００６】
【特許文献１】特開平７−１８９００２号公報
【特許文献２】特開２００４−３１０７１号公報
【発明の開示】
【発明が解決しようとする課題】
【０００７】
リストストラップは、人体に装着するリストバンドとこのリストバンドとアースとの間を繋ぐアースコードとからなる。そして、人体に帯電した静電気を逃すことを主目的とするリストストラップを有効に機能させるためには、リストバンドを人体に直接装着することが望ましい。
【０００８】
しかしながら、前述のように防塵服や防塵靴を着用している場合には、リストバンドを直接人体に接触させて装着できる箇所には限りがある。
【０００９】
また、前記アースコードの一端が接続される接地箇所がクリーンルーム内において固定されている場合、作業時の立ち位置によって、リストバンドの装着位置（例えば、手首の左右）を替えたり、あるいは、リストバンドに接続されたアースコードを作業を阻害しない方向に配設された接地箇所にその都度接続し直したりしなければならず、利便性に劣り、使用感が悪かった。
【００１０】
そこで、本発明は、無塵服および人体に帯電した静電気を確実に除去することができ、しかも、作業性を損なうことなく、使用感も良好となる防塵服を提供することを目的とするものである。
【課題を解決するための手段】
【００１１】
前述した目的を達成するため、本発明の防塵服は、導電性を備えた生地で長袖上衣と長ズボンとを一体形成した防塵服本体の複数箇所に、他端側が接地されたアースコードの一端部を接続させる接続端子部が形成されていることを特徴とする。
【００１２】
本発明の防塵服によれば、導電性を備えた生地からなる防塵服本体に形成された複数の接続端子部のうち、いずれかの接続端子部に前記アースコードの一端部を接続させれば、防塵服の静電気を、導電性を備えた生地、低抵抗配線、接続端子部を介してアースコードから接地させることができる。
【００１３】
そして、前記接続端子部は、前記無塵服本体の左右の腕部、肩部、腰部、下肢部や背面部など、複数箇所に形成されているので、作業時の立ち位置や作業動作等に合わせて随時、アースコードを接続させる接続端子部を選択することが可能となり、アースコードが作業性を阻害することを防止することができる。
【００１４】
また、接続端子部を防塵服本体に適切に配設し、その間を低抵抗配線で繋ぐことで、無塵服本体における部位の電位差をより小さく抑え、確実に、防塵服の除電を行なうことができる。
【００１５】
また、本発明の防塵服は、前記防塵服本体に、低抵抗の金属を内蔵し、人体に直接接触させるように装着して使用するアースバンドが電気的に接続されて一体に形成されていることを特徴とする。
【００１６】
このアースバンドによって、人体と防塵服本体との導通が確実に取られ、人体の静電気も無塵服の生地、低抵抗配線、接続端子部を介してアースコードから接地させることが可能となる。
【発明の効果】
【００１７】
このように、本発明の防塵服によれば、無塵服および人体に帯電した静電気を確実に除去することができ、しかも、作業性を損なうことなく、使用感も良好とすることができる。
【発明を実施するための最良の形態】
【００１８】
まず、本発明の防塵服の構造について、図１乃至図３を用いて説明する。
【００１９】
本実施形態の防塵服１は、図１に示すように、導電性を備えた生地で長袖上衣と長ズボンとを一体形成した防塵服本体２の複数箇所に、接地されたアースコード１０の一端部を接続させる接続端子部３が形成され、前記複数箇所の接続端子部３間が低抵抗配線４で接続されている。
【００２０】
前記防塵服本体２の生地としては、例えば、編織物により構成される第１層上に、中実タイプの高吸収性ポリウレタン樹脂フィルムにより構成される第２層を点接着させ、さらに、第２層上に、緯糸および経糸方向に所定間隔で導電糸を配列させたポリエステル高密度織物により構成される第３層を接着させて構成されており、防塵性や導電性等の特性が付与された生地とすることができる。導電糸としては、原糸の表面にカーボンやニッケル等の導電性物質を被覆させたもの、複合紡糸により導電性物質を原糸の内部に含入させたものなど多種が採用されうる。また、導電糸で形成された布織物の表面に低発塵性材料としてのポリウレタンフィルムやポリテトラフルオロエチレンフィルムがコーティングされ、防塵性や導電性等の特性が付与された生地を使用してもよい。
【００２１】
また、前記長袖上衣の首周りや袖先部分、長ズボンの裾先部分はゴムやジャージ（伸縮性織物）等により、着脱が容易で、かつ、着用時には防塵服１内の塵埃の漏洩を抑止できるように密着可能に形成されている。
【００２２】
そして、本実施形態においては、前記防塵服本体２の両袖先部分に、リスト用のアースバンド５が電気的に接続されて一体に形成されている。前記アースバンド５は、低抵抗の金属を内蔵するバンド状部材であり、装着時に、手首に金属が直接接触するように形成されている。具体的には、伸縮性を持たせた幅広環状のアースバンド５を前記袖口に縫着させることが考えられる（図１参照）。また、図２および図３に示すように、幅広リボン状のアースバンド本体６の一端部に該アースバンド本体６の他端部側を噛み込んだ状態で係止することのできるプラスチック製の係止部材７を配設したアースバンド５の長手方向一辺を防塵服１の袖先部分に縫着し、アースバンド本体６を手首に巻回させた状態で前記他端部側を係止部材７で噛み込んで固定するように形成してもよい。
【００２３】
また、本実施形態においては、前記防塵服本体２の腕部、肩部、腰部、および下肢部における左右対称位置に前記接続端子部３が形成されている。前記接続端子部３は金属製のスナップボタン３ａからなり、アースコード１０の一端部に配設されるスナップボタンと対をなしてそれぞれを嵌着可能とされている。
【００２４】
さらに、本実施形態においては、防塵服１内における各接続端子部間に、銅線からなり、防塵服１の静電気をアースコード１０を介して接地させる主線としての低抵抗配線４がそれらを繋ぐようにして形成されている。
【００２５】
なお、アースコード１０の接続に利用しない接続端子部３は、作業空間に露出しないように接続端子部３の金属部分を、スナップ式のプラスチック製キャップ等のカバー部材（図示せず）で被覆することが望ましい。
【００２６】
そして、本実施形態の防塵服１は、前記リスト用のアースバンド５を手首に巻回して人体との導通を確保するようにして着用する。そして、防塵服本体２に形成された複数の接続端子部３のうち、いずれかの接続端子部３にアースコード１０の一端部に配設された接続端子部１１としての金属製のスナップボタン１１ａを接続させると共に、前記アースコード１０の他端部に形成された接続端子部１１としてのアースジャック１１ｂを、作業空間となるクリーンルームに固定配置された接地箇所に接続させて用いる。
【００２７】
このような除電構造を確立させることにより、防塵服１の静電気を、防塵服本体２を構成する導電性を備えた生地、主線として作用する低抵抗配線４および接続端子部３を介して、アースコード１０から確実に接地させることが可能となる。なお、アースコード１０には電流制限用の抵抗として、１ＭΩ程度の抵抗が内蔵されている。また、手首に装着されたアースバンド５によって、人体と防塵服本体２との導通を取ることで、人体の静電気も、前記無塵服本体、低抵抗配線４、接続端子部３を介してアースコード１０から接地させ、除電することが可能となる。
【００２８】
その際、接続端子部３を防塵服本体２の腕部、肩部、腰部、下肢部などに適切に形成し、その間を低抵抗配線４により繋ぐことで、無塵服本体における各部位の電位差もより小さく抑えることが可能となる。
【００２９】
また、接続端子部３を防塵服本体２のいろいろな部位に形成しておくことで、作業時の立ち位置や作業動作等に合わせて、随時アースコード１０に形成されたスナップボタン１１ａを接続させる接続端子部３を選択することが可能となり、アースコード１０が作業性を阻害することを防止することができる。例えば、クリーンルーム内に配設された接地箇所が作業者の立ち位置の右側に位置する場合には、防塵服１の右側に形成されたいずれかの接続端子部３を利用してアースコード１０を接続させるようにしたり、立ち歩くことの少ない作業である場合には、防塵服１の腰や長ズボンに形成された接続端子部３を利用してアースコード１０を接続させるようにすれば、アースコード１０が作業を阻害することを防止することができる。
【００３０】
さらには、クリーンルーム内で立ち位置の向きを前後に変えるような場合にも、アースコード１０の前記スナップボタン１１ａを、別（左右反対側）に形成された接続端子部３のスナップボタン３ａに付け替えるだけでよく、簡便である。
【００３１】
また、防塵服１と併用している防塵靴が導電処理されたフロアから離間したり、電気的な接続が悪くなっても、本実施形態の防塵服１の構成によれば、確実に静電気を除去することができる。
【００３２】
なお、本発明は、前述した実施の形態に限定されるものではなく、必要に応じて種々の変更が可能である。
【００３３】
例えば、前記アースバンド５は、本実施形態においては、手首に巻回可能に形成されたリスト用のアースバンド５を以て説明したが、足首等に巻回可能な構成のフット用のアースバンド５であってもよいし、また、リスト用と足首用の双方を備えてもよい。
【００３４】
さらには、前記接続端子部３とこれに接続されるアースコード１０の接続端子部の構造は前述の金属製のスナップボタン３ａに限ることなく、例えば、鰐口クリップ等を利用した接続構造であってもよい。
【図面の簡単な説明】
【００３５】
【図１】本発明の一実施形態の防塵服とその除電構造の説明図
【図２】本発明の防塵服におけるアースバンドの配設の一例を示す説明図
【図３】図２の防塵服の着用状態を示す説明図
【符号の説明】
【００３６】
１  防塵服
２  防塵服本体
３  接続端子部
３ａ  スナップボタン
４  低抵抗配線
５  アースバンド
６  アースバンド本体
７  係止部材
１０アースコード
１１  接続部
１１ａ  スナップボタン
１１ｂ  アースジャック
【図１】
2008133561.tif 000003
【図２】
2008133561.tif 000004
【図３】
2008133561.tif 000005